(57)【要約】【課題】防塵効果を向上でき、使い勝手の良いプロジェクタを提供すること。【解決手段】外装筐体２に収納される投射レンズ３により光束を拡大投射するプロジェクタ１において、投射レンズ３は、投射画像を調整するための画像調整部３１を備え、外装筐体２には、投射レンズ３から拡大投射される光束を通過させるための光束通過用開口部２１と、画像調整部３１を露出させるための露出用開口部２２とが形成され、光束通過用開口部２１を閉塞する閉位置と開放する開位置との間を移動自在に設けられるＬ型シャッタ５と、露出用開口部２２を閉塞する閉位置と開放する開位置との間を移動自在に設けられる水平シャッタ６とを備える。【選択図】図２
2010122290.tif 000002
【特許請求の範囲】
【請求項１】
外装筐体に収納される投射光学装置により光束を拡大投射するプロジェクタであって、
前記投射光学装置は、投射画像を調整するための画像調整部を備え、
前記外装筐体には、前記投射光学装置から拡大投射される光束を通過させるための光束通過用開口部と、前記画像調整部を露出させるための露出用開口部とが形成され、
前記光束通過用開口部を閉塞する閉位置と開放する開位置との間を移動自在に設けられる第１遮蔽部材と、
前記露出用開口部を閉塞する閉位置と開放する開位置との間を移動自在に設けられる第２遮蔽部材とを備える
ことを特徴とするプロジェクタ。
【請求項２】
請求項１に記載のプロジェクタおいて、
前記第１遮蔽部材は、側面視略Ｌ字状に形成され、前記光束通過用開口部を閉塞する垂直延出部と、前記垂直延出部から前記露出用開口部に延出して、前記露出用開口部を介して外部に露出する第１操作部とを備え、
前記第２遮蔽部材は、前記露出用開口部を介して外部に露出する第２操作部を備え、
前記第１操作部及び前記第２操作部は、前記第１遮蔽部材及び前記第２遮蔽部材が各前記閉位置及び各前記開位置に位置付けられている場合に互いに当接し、
前記第１遮蔽部材及び前記第２遮蔽部材は、各前記閉位置または各前記開位置に向けて、同一方向に移動する
ことを特徴とするプロジェクタ。
【請求項３】
請求項２に記載のプロジェクタにおいて、
前記第２操作部は、前記第１操作部よりも前記露出用開口部を閉塞する閉位置側に位置付けられる
ことを特徴とするプロジェクタ。
【請求項４】
請求項３に記載のプロジェクタにおいて、
前記第１操作部は、前記第２操作部に対して、前記第１遮蔽部材及び前記第２遮蔽部材の移動方向と直交方向にずれた位置に形成される
ことを特徴とするプロジェクタ。
【請求項５】
請求項４に記載のプロジェクタにおいて、
前記第１操作部及び前記第２操作部は、平面視略Ｌ字形状を有し、互いに当接している状態において、平面視略矩形状に形成される
ことを特徴とするプロジェクタ。
【発明の詳細な説明】
【技術分野】
【０００１】
本発明は、プロジェクタに関する。
【背景技術】
【０００２】
従来、光源から射出された光を、入力される画像情報に応じて変調して画像光を形成し、形成した画像光を投射レンズにて拡大投射するプロジェクタが知られている。このようなプロジェクタは、投射レンズから拡大投射された光束を通過させるための光束通過用開口部、及び投射レンズの画像調整部を露出するために設けられた露出用開口部を覆うスライドカバー（遮蔽部材）を備えたものが知られている（例えば、特許文献１参照）。
特許文献１に記載のプロジェクタのスライドカバーは、光束通過用開口部及び露出用開口部を同時に開閉するように構成されている。
【０００３】
【特許文献１】特許４０２４２８０号
【発明の開示】
【発明が解決しようとする課題】
【０００４】
しかしながら、特許文献１に記載のスライドカバーは、光束通過用開口部、または露出用開口部のいずれか一方のみを開閉することができないため、例えば、投射レンズから画像光が拡大投射されている状態においては、露出用開口部が常時、開いたままの状態となる。このため、露出用開口部から塵や埃が入ってしまったり、また画像調整部を操作する必要がない場合に画像調整部を操作してしまう可能性があり、使い勝手が良くないという問題がある。
【０００５】
本発明の目的は、防塵効果を向上でき、使い勝手の良いプロジェクタを提供することにある。
【課題を解決するための手段】
【０００６】
本発明のプロジェクタは、外装筐体に収納される投射光学装置により光束を拡大投射するプロジェクタであって、前記投射光学装置は、投射画像を調整するための画像調整部を備え、前記外装筐体には、前記投射光学装置から拡大投射される光束を通過させるための光束通過用開口部と、前記画像調整部を露出させるための露出用開口部とが形成され、前記光束通過用開口部を閉塞する閉位置と開放する開位置との間を移動自在に設けられる第１遮蔽部材と、前記露出用開口部を閉塞する閉位置と開放する開位置との間を移動自在に設けられる第２遮蔽部材とを備えることを特徴とする。
【０００７】
本発明によれば、光束通過用開口部を閉塞可能とする第１遮蔽部材と、露出用開口部を閉塞可能とする第２遮蔽部材とを備え、第１、第２遮蔽部材は、光束通過用開口部及び露出用開口部を開閉自在に移動するので、投射光学装置からの投射画像を調整する場合には、第１、第２遮蔽部材を光束通過用開口部及び露出用開口部が開放する位置に移動させることで、画像調整部が露出されて、投射画像を調整できる。
そして、投射画像の調整を終えて、第１遮蔽部材に対して互いに独立する第２遮蔽部材を露出用開口部が閉塞する閉位置に移動させることで、光束通過用開口部が開放された状態で、露出用開口部のみを閉塞することができる。このことにより、光束通過用開口部が開放されて、投射光学装置が投射画像を投射している場合等に露出用開口部のみを閉塞することができ、露出用開口部の防塵効果を向上できる。さらに、画像調整部を操作する必要がない場合に、画像調整部を操作してしまうおそれがなく、使い勝手の良いプロジェクタを提供できる。
【０００８】
本発明では、前記第１遮蔽部材は、側面視略Ｌ字状に形成され、前記光束通過用開口部を閉塞する垂直延出部と、前記垂直延出部から前記露出用開口部に延出して、前記露出用開口部を介して外部に露出する第１操作部とを備え、前記第２遮蔽部材は、前記露出用開口部を介して外部に露出する第２操作部を備え、前記第１操作部及び前記第２操作部は、前記第１遮蔽部材及び前記第２遮蔽部材が各前記閉位置及び各前記開位置に位置付けられている場合に互いに当接し、前記第１遮蔽部材及び前記第２遮蔽部材は、各前記閉位置または各前記開位置に向けて、同一方向に移動することが好ましい。
【０００９】
本発明によれば、第１遮蔽部材及び第２遮蔽部材は、露出用開口部を介して外部に露出する第１操作部及び第２操作部を備え、第１操作部及び第２操作部は、各開位置及び各閉位置状態で当接し、第１遮蔽部材及び第２遮蔽部材は、各閉位置または各開位置に向けて同一方向に移動する。このことにより、光束通過用開口部及び露出用開口部がともに閉塞または開放されている状態において、使用者は、互いに当接する第１、第２操作部を把持しながら、第１、第２遮蔽部材を併せて、光束通過用開口部及び露出用開口部を閉塞する閉位置と開放する開位置に移動させることができ、容易に光束通過用開口部及び露出用開口部を一度に開放または閉塞することができる。すなわち、無駄な操作をすることなく、使い勝手の良いプロジェクタを提供できる。
【００１０】
本発明では、前記第２操作部は、前記第１操作部よりも前記露出用開口部を閉塞する閉位置側に位置付けられることが好ましい。
【００１１】
本発明によれば、第２操作部は、第１操作部よりも閉位置側に位置付けられる。このことにより、第１、第２遮蔽部材が各閉位置に位置付けられている場合、第２操作部を露出用開口部が開放する開位置に移動させる際には、第２操作部が第１操作部を押圧し、第１遮蔽部材及び第２遮蔽部材は連動して動作することができる。また、第１、第２遮蔽部材が各開位置に位置付けられている場合、第２操作部を露出用開口部が閉塞する方向に移動させることで、第２遮蔽部材のみが閉位置に位置付けられる。すなわち、第２操作部のみで、無駄な操作をすることなく、容易に光束通過用開口部及び露出用開口部を開放し、また露出用開口部を閉塞できる。
【００１２】
本発明では、前記第１操作部は、前記第２操作部に対して、前記第１遮蔽部材及び前記第２遮蔽部材の移動方向と直交方向にずれた位置に形成されることが好ましい。
本発明によれば、第１操作部は、第２操作部に対して、各遮蔽部材の移動方向と直交方向にずれた位置に形成されるので、使用者は、第１操作部または第２操作部の端部を押圧することで、独立して、または同時に、各操作部を容易に移動させることができる。
具体的には、第１、第２遮蔽部材が各閉位置に位置付けられている場合、第２操作部の端部を押圧すること、第２操作部が第１操作部を押圧して、第１、第２遮蔽部材を開位置に位置付けることができる。また、第１操作部の端部を押圧することで、第１遮蔽部材のみを開位置に位置付けることができる。
さらに、第１、第２遮蔽部材が各開位置に位置付けられている場合、第１操作部の端部を押圧すること、第１操作部が第２操作部を押圧して、第１、第２遮蔽部材を閉位置に位置付けることができる。また、第２操作部を押圧することで、第２遮蔽部材のみを閉位置に位置付けることができる。従って、容易な操作で各遮蔽部材を開閉操作できる。
【００１３】
本発明では、前記第１操作部及び前記第２操作部は、平面視略Ｌ字形状を有し、互いに当接している状態において、平面視略矩形状に形成されることが好ましい。
本発明によれば、第１、第２操作部は平面視略Ｌ字形状を有し、互いに当接している状態において、平面視略矩形状に形成されるので、第１操作部の端部は、第２操作部側に向けて突出し、第２操作部の端部は、第１操作部側に向けて突出している。このことにより、各遮蔽部材が閉位置に位置付けられている場合に、第２操作部側から第１操作部を容易に操作でき、第１遮蔽部材のみを容易に開放できる。また、各遮蔽部材が開位置に位置付けられている場合に、第１操作部側から第２操作部を容易に操作でき、第２遮蔽部材のみを容易に閉塞できる。すなわち、第１、第２操作部をより操作し易く、使い勝手の良いプロジェクタを提供できる。
【発明を実施するための最良の形態】
【００１４】
以下、本発明に係る一実施形態を図面に基づいて説明する。
［プロジェクタの構成］
図１は、プロジェクタ１の構成を模式的に示す図、図２は、本実施形態に係るプロジェクタ１を前面側から見た斜視図であり、より具体的には、図２は、後述する光束通過用開口部２１及び露出用開口部２２が開放されている状態を示している。
なお、以下で記載する「前面」、「背面」は、プロジェクタ１において画像光を投射する側を前面とし、その反対側を背面とする。
プロジェクタ１は、外部機器等から入力する画像情報に応じた画像光を形成し、当該画像光をスクリーン等の投射面上に投影するものである。このプロジェクタ１は、図１に示すように、外装筐体２と、投射レンズ３と、外装筐体２内に収納される光学ユニット４とを備える。
【００１５】
外装筐体２は、全体略直方体形状を有し、本実施形態では合成樹脂により形成されている。この外装筐体２には、図２に示すように、光束通過用開口部２１と、露出用開口部２２とが形成される。各開口部２１，２２の詳細については、後述する。なお、外装筐体２は、合成樹脂等に限らず、その他の材料にて形成してもよく、例えば、金属等により構成してもよい。
投射レンズ３は、プロジェクタ１の前面において、図１及び図２に示すように、右側面寄りに位置し、画像情報に応じて形成された画像光を投射する。この投射レンズ３は、図２に示すように、フォーカス調整やズーム調整を行うリング状の画像調整部３１を備える。
【００１６】
光学ユニット４は、図１に示すように、外装筐体２の背面に沿って延出するとともに、外装筐体２の側面に沿って延出する平面視略Ｌ字形状を有している。
この光学ユニット４は、光源ランプ４１１及びリフレクタ４１２を有する光源装置４１と、レンズアレイ４２１，４２２、偏光変換素子４２３、及び重畳レンズ４２４を有する照明光学装置４２と、ダイクロイックミラー４３１，４３２、及び反射ミラー４３３を有する色分離光学装置４３と、入射側レンズ４４１、リレーレンズ４４３、及び反射ミラー４４２，４４４を有するリレー光学装置４４と、３つの液晶パネル４５１（赤色光側の液晶パネルを４５１Ｒ、緑色光側の液晶パネルを４５１Ｇ、青色光側の液晶パネルを４５１Ｂとする）、３つの入射側偏光板４５２、３つの射出側偏光板４５３、及びクロスダイクロイックプリズム４５４を有する光学装置４５と、前述した投射レンズ３とを備えて構成される。
【００１７】
なお、前述した各光学部品４１〜４５については、種々の一般的なプロジェクタの光学系として利用されているため、具体的な説明を省略する。
そして、光学ユニット４では、上述した構成により、光源装置４１から射出され照明光学装置４２を介した光束は、色分離光学装置４３にてＲ，Ｇ，Ｂの３つの色光に分離される。また、分離された各色光は、各液晶パネル４５１にて画像情報に応じてそれぞれ変調され、各色光毎の画像光が形成される。色光毎の画像光は、クロスダイクロイックプリズム４５４にて合成され、投射レンズ３にてスクリーン（図示略）に拡大投射される。
【００１８】
［光束通過用開口部及び露出用開口部の構成］
図３、本実施形態に係るプロジェクタ１を前面側から見た斜視図であり、より具体的には、光束通過用開口部２１及び露出用開口部２２が閉塞されている状態を示す図である。
光束通過用開口部２１は、図２に示すように、投射レンズ３から拡大投射された光束を通過させるためのものであり、外装筐体２の前面側において、投射レンズ３と対向する位置に略矩形状に形成される。
露出用開口部２２は、図２に示すように、投射レンズ３の画像調整部３１を露出させるためのものであり、外装筐体２の天面側において、略矩形状に形成される。
図３に示すように、光束通過用開口部２１及び露出用開口部２２の双方は、後述する第１遮蔽部材としてのＬ型シャッタ５で閉塞され、露出用開口部２２は、後述する第２遮蔽部材としての水平シャッタ６で閉塞される。
【００１９】
［シャッタの構成］
図４は、本実施形態に係るプロジェクタ１を前面側から見た斜視図であり、より具体的には、露出用開口部２２のみ閉塞した状態を示す図である。
Ｌ型シャッタ５は、図２及び図３に示すように、各開口部２１，２２の長手方向に沿って形成された溝部２１Ａ，２２Ａにスライド式に嵌め込まれ、各開口部２１，２２を開放する開位置と、各開口部２１，２２を閉塞する閉位置との間を移動自在に設けられる。このＬ型シャッタ５は、垂直延出部５１と、水平延出部５２とが一体的に形成され、側面視略Ｌ字形状を有する。
【００２０】
垂直延出部５１は、図３に示すように、外装筐体２の前面と略平行に延出する略矩形状の板体で構成され、Ｌ型シャッタ５が閉位置に位置付けられた際に、光束通過用開口部２１を閉塞する部分である。
水平延出部５２は、図３に示すように、外装筐体２の天面と略平行に延出する略矩形状の板体で構成され、第１操作部としての第１操作用突起部５２１を備える。この水平延出部５２は、Ｌ型シャッタ５が閉位置に位置付けられた際に、露出用開口部２２を閉塞する部分である。
第１操作用突起部５２１は、図３及び図４に示すように、平面視略Ｌ字形状を有し、水平延出部５２の右側端部（閉位置側）に位置する。この第１操作用突起部５２１は、図４に示すように、Ｌ型シャッタ５の移動方向と直交する第１当接面５２１１及び第１垂直面５２１２と、当該移動方向と略平行に配置される第１押圧突起部５２１３とを備える。
【００２１】
第１当接面５２１１は、水平シャッタ６の後述する第２操作部としての第２操作用突起部６１と対向する位置に形成される。第１当接面５２１１は、図２及び図３に示すように、Ｌ型シャッタ５が閉位置、または水平シャッタ６が開位置に位置付けられた際に、水平シャッタ６の第２操作用突起部６１と当接する。
第１垂直面５２１２は、第１当接面５２１１とは反対側に形成される。図４に示す状態から光束通過用開口部２１を閉塞する際に、使用者は、第１垂直面５２１２を押圧して、Ｌ型シャッタ５をスライドさせて、光束通過用開口部２１を閉塞する。
第１押圧突起部５２１３は、第１操作用突起部５２１の長手方向の端部に凸状に形成され、第２操作用突起部６１に向けて突出している。この第１押圧突起部５２１３は、図３に示すように、Ｌ型シャッタ５の第１操作用突起部５２１及び水平シャッタ６の第２操作用突起部６１が当接している状態で、Ｌ型シャッタ５のみを開位置にスライド移動させようとする場合に、使用者が押圧するものである。
【００２２】
水平シャッタ６は、外装筐体２の天面と略平行に延出する略矩形状の板体で構成される。この水平シャッタ６は、図２及び図３に示すように、露出用開口部２２の長手方向に沿って形成された一対の溝部２２Ｂにスライド式に嵌め込まれ、露出用開口部２２を開放する開位置と、露出用開口部２２を閉塞する閉位置との間を移動自在に設けられる。水平シャッタ６には、第２操作用突起部６１が設けられる。
第２操作用突起部６１は、図４に示すように、平面視略Ｌ字形状を有し、水平シャッタ６の右側端部（閉位置側）に位置し、Ｌ型シャッタ５の第１操作用突起部５２１よりも閉位置側に位置付けられる。この第２操作用突起部６１は、水平シャッタ６の移動方向と直交する第２当接面６１１及び第２垂直面６１２と、当該移動方向と略平行に配置される第２押圧突起部６１３とを備える。この第２操作用突起部６１が、第１操作用突起部５２１と当接している状態において、平面視略矩形状に形成される。
【００２３】
第２当接面６１１は、Ｌ型シャッタ５の第１操作用突起部５２１と対向する位置に形成される。第２当接面６１１は、図２及び図３に示すように、Ｌ型シャッタ５が閉位置、または水平シャッタ６が開位置に位置付けられた際に、Ｌ型シャッタ５の第１操作用突起部５２１と当接する。より具体的には、第２当接面６１１は、第１操作用突起部５２１の第１当接面５２１１と当接する。この当接している状態（図２及び図３）において、使用者は、Ｌ型シャッタ５及び水平シャッタ６をともに開位置または閉位置に移動させる場合に、各操作用突起部５２１，６１の第１垂直面５２１２、第２垂直面６１２を把持して、各操作用突起部５２１，６１を摘める状態となる。
【００２４】
第２垂直面６１２は、第２当接面６１１とは反対側に形成され、図４に示す状態から露出用開口部２２を開放する際に、使用者は、第２垂直面６１２を押圧して、水平シャッタ６をスライドさせて、露出用開口部２２を開放する。
第２押圧突起部６１３は、第２当接面６１１の長手方向の端部に凸状に形成され、第１操作用突起部５２１に向けて突出している。この第２押圧突起部６１３は、図２に示すように、各開口部２１，２２が開口し、Ｌ型シャッタ５の第１操作用突起部５２１及び水平シャッタ６の第２操作用突起部６１が当接している状態で、水平シャッタ６のみを閉位置にスライド移動させようとする場合に、使用者が押圧するものである。
【００２５】
［シャッタの動作］
以下、各シャッタ５，６の動作について説明する。
まず、使用者は、スクリーン（図示略）に投影される投影画像を調整するために、図３に示す全閉状態（各開口部２１，２２の双方が閉塞している状態）から各シャッタ５，６の各操作用突起部５２１，６１を併せて把持して、各シャッタ５，６が各開口部２１，２２を開放する開位置に位置付けられて、図２に示す全開状態（各開口部２１，２２の双方が開放している状態）となる。各操作用突起部５２１，６１を併せて把持する代わりに第２垂直面６１２を押圧することでも図２に示す全開状態（各開口部２１，２２の双方が開放している状態）とすることができる。
【００２６】
そして、使用者は、露出用開口部２２から露出した投射レンズ３の画像調整部３１を調整して、投射レンズ３から投影されるスクリーン上の投影画像のフォーカス調整、またはズーム調整を行う。これらの調整が終了すると、露出用開口部２２を閉塞するために、使用者は、図２に示す全開状態から水平シャッタ６の第２押圧突起部６１３を押圧しながら、水平シャッタ６をスライド移動させて露出用開口部２２を閉塞する位置に位置付ける。これにより、図４に示すように、光束通過用開口部２１が開放した状態で、露出用開口部２２のみが閉塞する状態となる。
【００２７】
また、使用者は、再度、投影画像を調整する必要が生じた場合に、露出用開口部２２を開放する必要がある。この場合には、図４に示す状態において、水平シャッタ６の第２垂直面６１２を押圧しながら、第２操作用突起部６１の第２当接面６１１がＬ型シャッタ５の第１操作用突起部５２１の第１当接面５２１１に当接するまで、水平シャッタ６をスライド移動させて、露出用開口部２２を開放する位置に位置付ける。これにより、図２に示すように、使用者は再度、画像調整部３１を操作して、投影画像を調整できる状態となる。
【００２８】
この後、図２に示す全開状態から図３に示す全閉状態とする場合には、各操作用突起部５２１，６１を併せて把持し、各シャッタ５，６をともにスライド移動させて、各開口部２１，２２を閉塞する閉位置に位置付ける。これにより、図３に示す各開口部２１，２２が閉塞された状態となる。各操作用突起部５２１，６１を併せて把持する代わりに第１垂直面５２１２を押圧することでも図３に示す各開口部２１，２２が閉塞された状態とすることができる。
【００２９】
上述した実施形態によれば、以下の効果がある。
投射レンズ３から拡大投射された光束を通過させるための光束通過用開口部２１と画像調整部３１を露出するための露出用開口部２２とを閉塞するＬ型シャッタ５、及び露出用開口部２２のみを閉塞する水平シャッタ６を備えるので、使用者は、露出用開口部２２のみを閉塞したい場合に、水平シャッタ６をスライド移動させて、露出用開口部２２のみを閉塞できる。このことにより、露出用開口部２２からの埃や塵の進入を防止でき、投射時の防塵効果を高めることができる。また、画像調整部３１を操作する必要性が無い場合に操作してしまうことを防止でき、使い勝手の良さを向上できる。
また、各シャッタ５，６は、第１操作用突起部５２１、第２操作用突起部６１を備え、各操作用突起部５２１，６１は、各開口部２１，２２が開放または閉塞している場合に当接するので、使用者は、各操作用突起部５２１，６１を同時に把持して、各開口部２１，２２の開閉操作ができる。従って、容易に各開口部２１，２２を閉塞または開放することができ、使い勝手の良さを向上できる。
【００３０】
各操作用突起部５２１，６１は、平面視略Ｌ型形状を有し、各操作用突起部５２１，６１には、各シャッタ５，６の移動方向に沿って各押圧突起部５２１３，６１３を備える。従って、各操作用突起部５２１，６１が当接している場合において、Ｌ型シャッタ５または水平シャッタ６のいずれか一方を開閉操作する際、使用者は、第１押圧突起部５２１３または第２押圧突起部６１３のいずれか一方を押圧して、Ｌ型シャッタ５または水平シャッタ６を開閉操作できる。すなわち、使用者は、各操作用突起部５２１，６１の各押圧突起部５２１３，６１３を押圧することで、各シャッタ５，６を容易に開閉でき、使い勝手の良さを向上できる。
また、天吊り状態で使用する場合には、光束通過用開口部２１が常時、開放されていることが多くなるので、本実施形態のプロジェクタ１を用いることで、水平シャッタ６は、露出用開口部２２のみを閉塞することができる。従って、防塵効果を向上できる。
【００３１】
［実施形態の変形］
なお、本発明を実施するための最良の構成、方法などは、以上の記載で開示されているが、本発明は、これに限定されるものではない。
例えば、前記実施形態では、Ｌ型シャッタ５は、各開口部２１，２２を開放または閉塞していたが、光束通過用開口部２１のみを開放または閉塞する構成とし、各シャッタ５，６を独立して、開閉する構成としてもよい。
前記実施形態では、各シャッタ５，６には、第１操作用突起部５２１及び第２操作用突起部６１が形成されたが、各操作用突起部５２１，６１は、突起状のものでなくてもよく、各シャッタ５，６に凹部を形成してもよい。この構成によっても各シャッタ５，６を開閉できる。
【００３２】
前記実施形態では、各操作用突起部５２１，６１は、各シャッタ５，６の移動方向に沿って形成されたが、当該移動方向と直交する方向に沿って形成されてもよい。
前記実施形態では、各シャッタ５，６が開放または閉塞している場合に、各操作用突起部５２１，６１は当接していたが、これに限らず、離間して配置されていてもよい。
前記実施形態では、各操作用突起部５２１，６１は、平面視略Ｌ字形状を有していたが、これに限らず、任意の形状であってもよい。
【００３３】
前記実施形態では、光学ユニット４は平面視略Ｌ字形状を有した構成としたが、これに限らず、例えば、平面視略Ｕ字形状を有した構成を採用してもよい。
前記実施形態では、透過型の液晶パネル４５１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００３４】
本発明は、プレゼンテーション等に用いられるプロジェクタに利用できる。
【図面の簡単な説明】
【００３５】
【図１】本発明の一実施形態に係るプロジェクタの構成を模式的に示す図。
【図２】前記プロジェクタを示す斜視図であり、全開状態を示す図。
【図３】前記プロジェクタを示す斜視図であり、全閉状態を示す図。
【図４】前記プロジェクタを示す斜視図であり、光束通過用開口部のみが開放されている状態を示す図。
【符号の説明】
【００３６】
１…プロジェクタ、２…外装筐体、３…投射レンズ（投射光学装置）、５…Ｌ型シャッタ（第１遮蔽部材）、６…水平シャッタ（第２遮蔽部材）、２１…光束通過用開口部、２２…露出用開口部、３１…画像調整部、５１…垂直延出部、６１…第２操作用突起部（第２操作部）、５２１…第１操作用突起部（第１操作部）。
【図１】
2010122290.tif 000003
【図２】
2010122290.tif 000004
【図３】
2010122290.tif 000005
【図４】
2010122290.tif 000006